(57)【要約】【課題】ＤＶＤメディア等の記録媒体のレーベル面に、その記録内容を表す画像を容易に印刷する。【解決手段】ＤＶＤレコーダ１００は、ユーザの指示を受けて動画像データを記録型のＤＶＤメディアＤＭに記録する。ＤＶＤレコーダ１００は、ＤＶＤメディアＤＭの排出時等に、この動画像データの中から静止画像をキャプチャして、内部のメモリ（あるいはハードディスクドライブ）に記憶する。そして、ＤＶＤメディアＤＭがＤＶＤレコーダ１００から排出されて、印刷装置２００にセットされると、印刷装置２００は、ＤＶＤレコーダ１００に記憶された静止画像をネットワーク１５０を介して自動的に取得する。そして、取得した静止画像をＤＶＤメディアＤＭのレーベル面に印刷する。【選択図】図１
2008199495.tif 000002
【特許請求の範囲】
【請求項１】
画像の再生を行う画像再生装置と、該画像再生装置と所定の通信路によって接続され、記録媒体のレーベルに印刷を行うレーベル印刷機構を備えた印刷装置とを含む印刷システムであって、
前記画像再生装置は、
前記記録媒体に記録される画像の再生制御を行う再生制御部と、
前記記録媒体に記録される画像の少なくとも一部を含むデータを、所定の名前を付して記憶する画像記憶部と、
前記印刷装置から前記画像記憶部に記憶された前記データの転送要求を受けた場合に、前記画像記憶部から前記データを読み出し、前記通信路を介して前記印刷装置に該データを転送する画像転送部とを備え、
前記印刷装置は、
前記記録媒体が前記レーベル印刷機構にセットされたことを検出する検出部と、
前記記録媒体が前記レーベル印刷機構にセットされたことを前記検出部が検出した場合に、前記通信路を介し、前記名前を指定して、前記画像再生装置に前記データの転送を要求する画像要求部と、
前記画像再生装置から転送された前記データを受信する画像受信部と、
前記受信したデータに基づき前記レーベル印刷機構を制御して、該レーベル印刷機構にセットされた前記記録媒体のレーベルに、前記画像を印刷する印刷制御部とを備える
印刷システム。
【請求項２】
請求項１に記載の印刷システムであって、
該印刷システムは、前記画像再生装置を複数備えており、
前記印刷装置の前記画像要求部は、前記記録媒体が前記レーベル印刷機構にセットされたことを前記検出部が検出した場合に、前記各画像再生装置に対して、前記名前を指定して、前記データの転送を要求する
印刷システム。
【請求項３】
請求項１または請求項２に記載の印刷システムであって、
前記印刷装置は、更に、前記印刷の完了後に、前記画像再生装置に、前記転送を受けたデータの削除を要求する削除要求部を備え、
前記画像再生装置は、更に、前記印刷装置からの前記データの削除要求に応じて、前記画像記憶部から前記転送を行ったデータを削除する画像削除部を備える
印刷システム。
【請求項４】
請求項１ないし請求項３のいずれかに記載の印刷システムであって、
前記画像再生装置の画像記憶部は、前記名前の少なくとも一部に連番を付すことにより、前記データを複数記憶し、
前記印刷装置の画像要求部は、前記連番を含む名前が付された複数のデータの転送を要求し、
前記印刷制御部は、前記複数のデータが転送された場合に、前記記録媒体のレーベル面に、該複数のデータが表す各画像を、該データの数に応じた所定のレイアウトで割り付けて印刷する割付印刷部を備える
印刷システム。
【請求項５】
請求項１ないし請求項４のいずれかに記載の印刷システムであって、
前記画像再生装置は、更に、
放送波を介して動画像を表す画像信号を受信する受信部と、
前記受信した画像信号によって表される動画像を前記記録媒体に記録する記録部とを備え、
前記画像再生装置の画像記憶部は、前記画像信号によって表される動画像の一部を静止画として記憶する
印刷システム。
【請求項６】
請求項１ないし請求項５のいずれかに記載の印刷システムであって、
前記所定の通信路とはネットワークであり、
前記画像再生装置と前記印刷装置とは、ユニバーサルプラグアンドプレイ規格に基づき前記ネットワークを介して接続されるものである
印刷システム。
【請求項７】
記録媒体のレーベルに印刷を行うレーベル印刷機構を備えた印刷装置に、所定の通信路を介して接続される画像再生装置であって、
前記記録媒体に記録される画像の再生制御を行う再生制御部と、
前記記録媒体に記録される画像の少なくとも一部を含むデータを、所定の名前を付して記憶する画像記憶部と、
前記印刷装置から、前記記録媒体のレーベルへの印刷に供するために、前記画像記憶部に記憶された前記データの転送要求を受けた場合に、前記画像記憶部から前記データを読み出し、前記通信路を介して前記印刷装置に該データを転送する画像転送部と
を備える画像再生装置。
【請求項８】
所定の名前を付した画像を表すデータを記憶する画像再生装置と所定の通信路によって接続され、記録媒体のレーベル面に印刷を行うレーベル印刷機構を備える印刷装置であって、
前記記録媒体が前記レーベル印刷機構にセットされたことを検出する検出部と、
前記記録媒体が前記レーベル印刷機構にセットされたことを前記検出部が検出した場合に、前記通信路を介して、前記画像再生装置に、前記名前の付された前記データの転送を要求する画像要求部と、
前記画像再生装置から転送された前記データを受信する画像受信部と、
前記受信したデータに基づき前記レーベル印刷機構を制御して、該レーベル印刷機構にセットされた前記記録媒体のレーベルに、前記画像を印刷する印刷制御部と
を備える印刷装置。
【請求項９】
画像の再生を行う画像再生装置から転送された画像を表すデータを、該画像再生装置と所定の通信路によって接続され、記録媒体のレーベルに印刷を行うレーベル印刷機構を備えた印刷装置に印刷させる印刷方法であって、
前記記録媒体に記録される画像の少なくとも一部を含むデータを、所定の名前を付して前記画像再生装置が記憶し、
前記印刷装置の前記レーベル印刷機構に前記記録媒体がセットされたことを検出し、
前記レーベル機構に前記記録媒体がセットされたことを検出した場合に、前記通信路を介し、前記名前を指定して、前記画像再生装置に前記データの転送を要求し、
前記データの転送要求に応じて、前記画像再生装置に記憶された前記データを、前記通信路を介して前記印刷装置に転送し、
前記画像再生装置から転送された前記データを前記印刷装置によって受信し、
前記受信したデータに基づき前記印刷装置の前記レーベル印刷機構を制御して、該レーベル印刷機構にセットされた前記記録媒体のレーベルに、前記画像を印刷させる
印刷方法。
【発明の詳細な説明】
【技術分野】
【０００１】
本発明は、ＤＶＤメディア等の記録媒体のレーベル面に画像を印刷する技術に関する。
【背景技術】
【０００２】
近年、テレビ放送を受信して、記録型のＤＶＤメディアに録画を行うＤＶＤレコーダが普及している。また、近年の印刷装置は、ＤＶＤメディアのレーベル面に画像を印刷可能な機能を備えているものがある（例えば、下記特許文献１参照）。
【０００３】
【特許文献１】特開２００６−２６８３３１号公報
【０００４】
従来、ＤＶＤレコーダによってＤＶＤメディアに録画を行ったユーザは、ＤＶＤメディアにどのような番組を録画したかを記録するために種々の方法をとっていた。例えば、第１の方法としては、録画内容を表すメモを、ＤＶＤメディアのレーベル面に筆記具等で直接書き込む方法がある。この方法では、書き込まれた書体に、ユーザの筆癖が影響してしまうという問題がある。そこで、このような影響を受けない第２の方法として、上述した印刷装置とパソコンとを用いて、その録画内容を表す画像や文字をレーベル面に印刷する方法がある。しかし、ＤＶＤメディアに録画を行うたびにこのような作業を行うことは非常に煩雑な作業である。そのため、その作業の全て、もしくは一部を自動化する技術が望まれていた。
【発明の開示】
【発明が解決しようとする課題】
【０００５】
このような問題を考慮し、本発明が解決しようとする課題は、ＤＶＤメディア等の記録媒体のレーベル面に、その記録内容を表す画像を容易に印刷することにある。
【課題を解決するための手段】
【０００６】
上記課題を踏まえ、本発明の一態様である印刷システムを次のように構成した。すなわち、
画像の再生を行う画像再生装置と、該画像再生装置と所定の通信路によって接続され、記録媒体のレーベルに印刷を行うレーベル印刷機構を備えた印刷装置とを含む印刷システムであって、
前記画像再生装置は、
前記記録媒体に記録される画像の再生制御を行う再生制御部と、
前記記録媒体に記録される画像の少なくとも一部を含むデータを、所定の名前を付して記憶する画像記憶部と、
前記印刷装置から前記画像記憶部に記憶された前記データの転送要求を受けた場合に、前記画像記憶部から前記データを読み出し、前記通信路を介して前記印刷装置に該データを転送する画像転送部とを備え、
前記印刷装置は、
前記記録媒体が前記レーベル印刷機構にセットされたことを検出する検出部と、
前記記録媒体が前記レーベル印刷機構にセットされたことを前記検出部が検出した場合に、前記通信路を介し、前記名前を指定して、前記画像再生装置に前記データの転送を要求する画像要求部と、
前記画像再生装置から転送された前記データを受信する画像受信部と、
前記受信したデータに基づき前記レーベル印刷機構を制御して、該レーベル印刷機構にセットされた前記記録媒体のレーベルに、前記画像を印刷する印刷制御部とを備えることを要旨とする。
【０００７】
本発明の印刷システムによれば、画像再生装置に画像が記憶された後に、印刷装置のレーベル印刷機構に記録媒体がセットされると、画像再生装置から印刷装置に、所定の名前が付された画像のデータが転送される。そのため、画像再生装置から記録媒体を取り出し、この記録媒体を印刷装置にセットするだけで、記録媒体に記録されている画像の少なくとも一部の画像が記録媒体のレーベルに印刷されることになる。この結果、記録媒体の管理を容易に行うことが可能になる。
【０００８】
上記構成の印刷システムにおいて、該印刷システムは、前記画像再生装置を複数備えており、前記印刷装置の前記画像要求部は、前記記録媒体が前記レーベル印刷機構にセットされたことを前記検出部が検出した場合に、前記各画像再生装置に対して、前記名前を指定して、前記データの転送を要求するものとしてもよい。
【０００９】
本発明では、印刷装置は、画像再生装置によって付された名前を指定してデータの転送を要求する。そのため、上記構成のように、印刷システムが複数の画像再生装置を備えていた場合であっても、印刷装置は、所定の名前を付したデータを記憶している特定の画像再生装置から適切にデータの転送を受けることができる。
【００１０】
上記構成の印刷システムにおいて、前記印刷装置は、更に、前記印刷の完了後に、前記画像再生装置に、前記転送を受けたデータの削除を要求する削除要求部を備え、前記画像再生装置は、更に、前記印刷装置からの前記データの削除要求に応じて、前記画像記憶部から前記転送を行ったデータを削除する画像削除部を備えるものとしてもよい。
【００１１】
このような構成であれば、印刷装置によって記録媒体への画像の印刷が完了すると、自動的に、画像再生装置からその画像に応じたデータが削除される。そのため、画像再生装置が有する記憶部の記憶容量を節減することができる。また、印刷装置が、別の記録媒体に印刷を行う際に、既に印刷を済ませた画像を再び印刷してしまうことを防止することができる。
【００１２】
上記構成の印刷システムにおいて、前記画像再生装置の画像記憶部は、前記名前の少なくとも一部に連番を付すことにより、前記データを複数記憶し、前記印刷装置の画像要求部は、前記連番を含む名前が付された複数のデータの転送を要求し、前記印刷制御部は、前記複数のデータが転送された場合に、前記記録媒体のレーベル面に、該複数のデータが表す各画像を、該データの数に応じた所定のレイアウトで割り付けて印刷する割付印刷部を備えるものとしてもよい。
【００１３】
このような構成であれば、画像再生装置によって複数の画像が記憶された場合であっても、これらの画像を記録媒体に好適に配置して印刷することができる。
【００１４】
上記構成の印刷システムにおいて、前記画像再生装置は、更に、放送波を介して動画像を表す画像信号を受信する受信部と、前記受信した画像信号によって表される動画像を前記記録媒体に記録する記録部とを備え、前記画像再生装置の画像記憶部は、前記画像信号によって表される動画像の一部を静止画として記憶するものとしてもよい。
【００１５】
このような構成であれば、テレビ放送によって送信された番組を録画し、こうして録画した番組の中の一部の画像を記録媒体のレーベルに印刷することができる。
【００１６】
上記構成の印刷システムにおいて、前記所定の通信路とはネットワークであり、前記画像再生装置と前記印刷装置とは、ユニバーサルプラグアンドプレイ規格に基づき前記ネットワークを介して接続されるものとしてもよい。このような構成であれば、画像再生装置と印刷装置との接続・認証を、既存の規格に基づき容易に行うことが可能になる。
【００１７】
本発明は、以下のような態様の画像再生装置としても捉えることができる。すなわち、
記録媒体のレーベルに印刷を行うレーベル印刷機構を備えた印刷装置に、所定の通信路を介して接続される画像再生装置であって、
前記記録媒体に記録される画像の再生制御を行う再生制御部と、
前記記録媒体に記録される画像の少なくとも一部を含むデータを、所定の名前を付して記憶する画像記憶部と、
前記印刷装置から、前記記録媒体のレーベルへの印刷に供するために、前記画像記憶部に記憶された前記データの転送要求を受けた場合に、前記画像記憶部から前記データを読み出し、前記通信路を介して前記印刷装置に該データを転送する画像転送部とを備える画像再生装置である。
【００１８】
また、本発明は、以下のような態様の印刷装置としても捉えることができる。すなわち、
所定の名前を付した画像を表すデータを記憶する画像再生装置と所定の通信路によって接続され、記録媒体のレーベル面に印刷を行うレーベル印刷機構を備える印刷装置であって、
前記記録媒体が前記レーベル印刷機構にセットされたことを検出する検出部と、
前記記録媒体が前記レーベル印刷機構にセットされたことを前記検出部が検出した場合に、前記通信路を介して、前記画像再生装置に、前記名前の付された前記データの転送を要求する画像要求部と、
前記画像再生装置から転送された前記データを受信する画像受信部と、
前記受信したデータに基づき前記レーベル印刷機構を制御して、該レーベル印刷機構にセットされた前記記録媒体のレーベルに、前記画像を印刷する印刷制御部と
を備える印刷装置である。
【００１９】
このように、本発明を、画像再生装置や印刷装置として捉えたとしても、上述した印刷システムと同様の作用・効果を得ることができる。
【００２０】
なお、本発明は、上述した印刷システムや画像再生装置、印刷装置としての構成のほか、印刷システムや各装置における印刷方法、あるいは、コンピュータプログラムとしても構成することができる。コンピュータプログラムは、コンピュータが読取可能な記録媒体に記録されていてもよい。記録媒体としては、例えば、フレキシブルディスクやＣＤ−ＲＯＭ、ＤＶＤ−ＲＯＭ、光磁気ディスク、メモリカード、ハードディスク等の種々の媒体を利用することができる。
【発明を実施するための最良の形態】
【００２１】
以下、上述した本発明の作用・効果を一層明らかにするため、本発明の実施の形態を実施例に基づき次の順序で説明する。
Ａ．印刷システムの構成：
Ｂ．ＤＶＤレコーダの構成：
Ｃ．印刷装置の構成：
Ｄ．印刷処理：
Ｅ．変形例：
【００２２】
Ａ．印刷システムの構成：
図１は、実施例としての印刷システム１０の概略構成を示す説明図である。本実施例の印刷システム１０は、動画像の再生や録画を行うことのできる第１のＤＶＤレコーダ１００ａと第２のＤＶＤレコーダ１００ｂと印刷装置２００とがネットワーク１５０を介して接続されることにより構成される。第１のＤＶＤレコーダ１００ａには、モニタ３００が接続されている。第１のＤＶＤレコーダ１００ａと第２のＤＶＤレコーダ１００ｂとは、ほぼ同一の内部構成であるため、以下では、これらをまとめてＤＶＤレコーダ１００と記載する。なお、ＤＶＤレコーダ１００は、ネットワーク１５０に３台以上接続されていても構わない。
【００２３】
図１には、ＤＶＤレコーダ１００や印刷装置２００以外に、動画データや静止画像データを記憶するネットワークストレージ装置４００や、動画像を再生可能なパーソナルコンピュータ５００がネットワーク１５０に接続されている様子を示している。
【００２４】
上述した各装置は、ＤＬＮＡ(Digital Living Network Alliance)という団体が策定したＤＬＮＡガイドラインに準拠して構成された装置である。ＤＬＮＡガイドラインでは、ネットワーク１５０を介した各機器の接続・認証がＵＰｎＰ（ユニバーサルプラグアンドプレイ）規格に基づき行われるため、どの装置も、ネットワーク１５０につなぐだけでＩＰアドレス等の設定がなされて利用可能になる。
【００２５】
ＤＬＮＡガイドラインでは、ＤＭＳ(デジタルメディアサーバ)、ＤＭＰ(デジタルメディアプレーヤー)、ＤＭＰｒ（デジタルメディアプリンタ）と呼ばれる装置が規定されている。ＤＭＳとは、動画像や静止画像、音声等のコンテンツを記録・蓄積・提供する装置である。ＤＭＰとは、これらのコンテンツを受信して再生する装置である。また、ＤＭＰｒとは、ＤＭＳあるいはＤＭＰから指示されたコンテンツの印刷を行う機器である。
【００２６】
図１に示した装置のうち、典型的にＤＭＳに該当するものは、動画像データ等を記憶するＤＶＤレコーダ１００とネットワークストレージ装置４００である。また、ＤＭＳに記憶されたデータの転送を受けて再生するＤＭＰに該当するものはパーソナルコンピュータ５００である。また、ＤＭＰｒに該当するものは印刷装置２００である。ＤＬＮＡガイドラインでは、ＤＭＳとＤＭＰとＤＭＰｒとは１台の装置の中に複数共存することを容認している。本実施例では、ＤＶＤレコーダ１００は、ＤＭＳとＤＭＰの両者の機能を備え、印刷装置２００は、ＤＭＰｒとＤＭＳの両者の機能を備えるものとする。
【００２７】
ここで、本実施例の印刷システム１０の動作について簡単に説明する。本実施例の印刷システム１０では、最初に、ＤＶＤレコーダ１００がユーザの指示を受けて動画像データを記録型のＤＶＤメディアＤＭに記録する。ＤＶＤレコーダ１００は、ＤＶＤメディアＤＭの排出時等に、この動画像データの中から静止画像をキャプチャして、内部のメモリ（あるいはハードディスクドライブ）に記憶する。そして、ＤＶＤメディアＤＭがＤＶＤレコーダ１００から排出されて、印刷装置２００にセットされると、印刷装置２００は、ＤＶＤレコーダ１００に記憶された静止画像をネットワーク１５０を介して自動的に取得する。そして、取得した静止画像をＤＶＤメディアＤＭのレーベル面に印刷する。つまり、本実施例の印刷システム１０では、ＤＶＤレコーダ１００によってＤＶＤメディアＤＭに記録される動画像の内容を表す静止画像を、印刷装置２００によって自動的にレーベル面に印刷することができるのである。
【００２８】
Ｂ．ＤＶＤレコーダの構成：
図２は、ＤＭＳおよびＤＭＰとして動作するＤＶＤレコーダ１００の内部構成を示すブロック図である。図示するように、本実施例のＤＶＤレコーダ１００は、チューナ１０２と、復調器１０４と、操作部１０６と、制御ユニット１１０と、表示制御回路１２０と、ＤＶＤドライブ１２２と、ハードディスクドライブ１２４と、ネットワークインタフェース１２６とを備えている。
【００２９】
チューナ１０２は、テレビ放送を受信する装置である。復調器１０４は、チューナ１０２によって受信した放送波を復調する装置である。本実施例では、チューナ１０２は、デジタル放送によって変調されたデジタル信号を受信する回路によって構成されている。一方、復調器１０４は、このデジタル信号を、ＭＰＥＧ２形式の動画像データに復調する回路によって構成されている。むろん、チューナ１０２は、アナログ放送を受信するものとしてもよい。また、復調器１０４は、ＭＰＥＧ１やＭＰＥＧ４など、ＭＰＥＧ２形式以外の形式でデジタル信号を復調するものとしてもよい。
【００３０】
操作部１０６は、ＤＶＤレコーダ１００に対する再生や録画の指示をユーザから受けるためのスイッチ群によって構成される。このスイッチ群は、リモートコントローラに設けられているものとしてもよい。
【００３１】
表示制御回路１２０は、ＤＶＤレコーダ１００に接続されたモニタ３００に対して、動画像や静止画像、グラフィカルユーザインタフェース等の表示を行う回路である。ＤＶＤレコーダ１００とモニタ３００とは、例えば、コンポーネントケーブルやＨＤＭＩ(High-Definition Multimedia Interface)ケーブルによって接続される。
【００３２】
ＤＶＤドライブ１２２は、ＤＶＤメディアＤＭからのデータの読み込みや、ＤＶＤメディアＤＭに対するデータの書き込みを行う装置である。ＤＶＤメディアＤＭには、種々の規格が存在するが、例えば、ＤＶＤドライブ１２２は、ＤＶＤ−Ｒや、ＤＶＤ−ＲＷ、ＤＶＤ＋Ｒ、ＤＶＤ＋ＲＷ、ＤＶＤ−ＲＡＭ、ＤＶＤ−ＲＯＭ等のメディアに対して書き込みおよび読み出しを行うことができる（ただし、ＤＶＤ−ＲＯＭは読み出しのみ可能）。勿論、ＤＶＤドライブ１２２は、ここに挙げたメディア以外にも、例えば、ＣＤ−ＲやＣＤ−ＲＷ、次世代記録メディアであるＨＤ  ＤＶＤ規格やＢｌｕ−ｒａｙ規格に基づくメディアに対しても、データの読み書きが行えるものとしてもよい。
【００３３】
ハードディスクドライブ１２４は、復調器１０４によって復調された動画像データや、この動画像データからキャプチャされた静止画像データを記憶する大容量の記録媒体である。本実施例では、ハードディスクドライブ１２４は、４００ギガバイトの記憶容量を有している。もちろん、ハードディスクドライブ１２４は、それ以外の記憶容量を有していてもよい。
【００３４】
ネットワークインタフェース１２６は、ネットワーク１５０に対する通信制御を行う回路によって構成されている。ネットワークインタフェース１２６は、ＯＳＩ参照モデルの物理層とデータリンク層における通信制御を行う。
【００３５】
制御ユニット１１０は、ＤＶＤレコーダ１００の動作を統括管理するユニットであり、ＣＰＵやＲＯＭ、ＲＡＭによって構成されている。ＣＰＵは、ＲＡＭをワークエリアとしてＲＯＭに記録されたファームウェアを実行することで、図中に示した再生制御部１１１と録画制御部１１２と静止画保存部１１３とＵＰｎＰ処理部１１４とをソフトウェア的に実現する。
【００３６】
再生制御部１１１は、ＤＶＤメディアＤＭやハードディスクドライブ１２４に記録された動画像データを再生する機能を備えている。これらの媒体に記録された動画像データは、公知の種々のコーデックによってエンコードがなされている。そのため、再生制御部１１１は、ＤＶＤメディアＤＭやハードディスクドライブ１２４から動画像データを読み出し、上記のコーデックに対応したデコードを行いつつ再生を行う。また、再生制御部１１１は、後述するＵＰｎＰ処理部によって他のＤＭＳ（例えば、ネットワークストレージ装置４００）から受信した動画像データの再生を行う機能を備えている。
【００３７】
録画制御部１１２は、復調器１０４によって復調された動画像データを、ハードディスクドライブ１２４もしくはＤＶＤメディアＤＭに記録する機能部である。録画制御部１１２は、いわゆる電子番組表を用いた予約録画を行う機能を備えている。
【００３８】
静止画保存部１１３は、ＤＶＤメディアＤＭあるいはハードディスクドライブ１２４に記録された動画像データから静止画像をキャプチャし、これをハードディスクドライブ１２４に保存する機能を有する。キャプチャする静止画像は、例えば、動画像データの再生開始から、予め定めた時間経過後（例えば、１５秒後）のフレームとすることができる。また、静止画保存部１１３は、ＤＶＤメディアＤＭあるいはハードディスクドライブ１２４に記録された動画像データの再生中に、ユーザが操作部１０６を用いて指示した時点の画像をキャプチャしてもよい。
【００３９】
動画像データからキャプチャする静止画像の枚数は、ユーザが操作部１０６を用いて任意に設定することができる。複数枚キャプチャする場合には、例えば、動画像データの先頭から１５秒間隔で、指定された枚数だけキャプチャするものとすることができる。また、動画像データに複数のチャプタが設定されている場合には、各チャプタの先頭から所定時間後のフレームをキャプチャするものとすることができる。このときの静止画像の枚数は、チャプタの数と同数になる。
【００４０】
静止画保存部１１３は、静止画像を保存する際に、所定の命名規則に基づいてファイル名を決定し、このファイル名を付して静止画像を保存する。本実施例において、所定の命名規則とは、動画像データから１枚の静止画像をキャプチャする場合には、「ＰＧ０１．ｊｐｇ」というファイル名を付し、複数の静止画像をキャプチャする場合には、「ＰＧ」の後に連番を続け、最後に、「．ｊｐｇ」という拡張子を付するという規則である。例えば、動画像データから２枚の静止画像をキャプチャする場合には、「ＰＧ０１．ｊｐｇ」というファイル名と、「ＰＧ０２．ｊｐｇ」というファイル名が各静止画像に付されることになる。
【００４１】
ＵＰｎＰ処理部１１４は、ＵＰｎＰ規格に基づく種々の機能を実現する機能部である。ＵＰｎＰ規格に定められている機能としては、例えば、以下のような機能がある。
（１）ＤＨＣＰ(Dynamic Host Configuration Protocol)やＡｕｔｏＩＰによって自己のＩＰアドレスを設定するアドレッシング機能。
（２）ＳＳＤＰ(Simple Service Discovery Protocol)や、ＧＥＮＡ(Generic Event Notification Architecture)を用いてネットワークに接続されたデバイスを検出するディスカバリ機能。
（３）ディスカバリ機能によって検出したデバイスから、そのデバイスの詳細な情報をＸＭＬ形式のデータで取得するディスクリプション機能。
（４）ディスクリプション機能によって詳細情報を取得したデバイスをＳＯＡＰ(Simple Object Access Protocol)によって制御するコントロール機能。
【００４２】
ＵＰｎＰ処理部１１４は、コントロールポイント１１５と呼ばれるモジュールを備えている。コントロールポイント１１５は、上述したディスカバリ機能によって検出したデバイス（例えば、ＤＭＳ、ＤＭＰ、ＤＭＰｒ）の管理および制御を行うモジュールである。コントロールポイント１１５は、例えば、他のデバイスからデータの転送を受けたり、他のデバイスに記憶されているデータの移動、消去を行うことができる。ＵＰｎＰ規格では、ＤＭＰｒを制御するコントロールポイントのことを、特に、プリンティングコントローラと呼ぶ場合がある。
【００４３】
コントロールポイント１１５は、画像転送モジュール１１６と画像消去モジュール１１７とを有している。画像転送モジュール１１６は、他のデバイス（本実施例では、印刷装置２００）から転送要求を受けた静止画像データをハードディスクドライブ１２４から読み出して転送するモジュールである。画像消去モジュール１１７は、他のデバイスから削除要求を受けた静止画像データをハードディスクドライブ１２４から消去するモジュールである。
【００４４】
Ｃ．印刷装置の構成：
図３は、ＤＭＰｒおよびＤＭＳとして動作する印刷装置２００の内部構成を示すブロック図である。図示するように、本実施例の印刷装置２００は、ネットワークインタフェース２１０と、印刷機構２２０と、フラッシュメモリ２３０と、制御ユニット２４０とを備えている。
【００４５】
ネットワークインタフェース２１０は、ネットワーク１５０に対する通信制御を行う回路によって構成されている。
【００４６】
印刷機構２２０は、制御ユニット２４０からの指示を受けて、ＤＶＤメディアＤＭや印刷用紙に対して文字や画像を印刷する機構である。以下では、ＤＶＤメディアＤＭや印刷用紙などの印刷の対象となる媒体のことを、「印刷媒体」と呼ぶ。印刷機構２２０は、印刷媒体がセットされる印刷トレイや、インクが貯蔵されたインクタンク、インクタンクから印刷媒体にインクを吐出するインクヘッド、印刷媒体を印刷方向に搬送する搬送機構等によって構成されている。
【００４７】
印刷機構２２０は、メディア検出部２２５を備えている。メディア検出部２２５は、印刷トレイにセットされた印刷媒体がＤＶＤメディアであるか印刷用紙であるかを検出する回路によって構成されている。また、メディア検出部２２５は、印刷トレイにセットされた印刷媒体がＤＶＤメディアである場合に、そのレーベル面が、白色であるかを検出する回路も備えている。メディア検出部２２５は、印刷媒体の形状を検出するセンサとして、例えば、所定の位置に印刷媒体が存在するか否かを検出する反射型フォトセンサを用いることができる。また、レーベル面の色を検出するセンサとしては、赤、青、緑の３原色をそれぞれ発光する発光ダイオードによってＤＶＤメディアＤＭのレーベル面を照射し、その反射光の色成分を解析して色を判別する色センサを用いることができる。
【００４８】
フラッシュメモリ２３０には、後述する制御ユニット２４０によってＤＶＤレコーダ１００から取得する静止画像データが記憶される。図中には、こうした静止画像データとして、「ＰＧ０１．ｊｐｇ」および「ＰＧ０２．ｊｐｇ」とファイル名の付されたデータが記憶されている例を示している。本実施例では、これらのデータをフラッシュメモリ２３０に記憶するものとしたが、制御ユニット２４０が備えるＲＡＭやハードディスクドライブに記憶する構成としてもよい。
【００４９】
制御ユニット２４０は、印刷装置２００の動作を統括管理するユニットであり、ＣＰＵやＲＯＭ、ＲＡＭによって構成されている。ＣＰＵは、ＲＡＭをワークエリアとしてＲＯＭに記録されたファームウェアを実行することで、図中に示した印刷制御部２４１とＵＰｎＰ処理部２４２とをソフトウェア的に実現する。
【００５０】
印刷制御部２４１は、印刷機構２２０を制御して、印刷媒体に画像や文字を印刷する機能部である。
【００５１】
ＵＰｎＰ処理部２４２は、上述したＤＶＤレコーダ１００のＵＰｎＰ処理部１１４と同様に、ＵＰｎＰ規格に基づく種々の機能を実現する機能部である。ＵＰｎＰ処理部２４２は、コントロールポイント２４３を備えており、このコントロールポイント２４３は、画像要求モジュール２４４と、画像受信モジュール２４５と、削除要求モジュール２４６とを備えている。
【００５２】
画像要求モジュール２４４は、他のＤＭＳ（本実施例では、ＤＶＤレコーダ１００）に対して、静止画像データの転送を要求するモジュールである。画像受信モジュール２４５は、画像要求モジュール２４４によって要求した静止画像データを、転送元から受信するモジュールである。削除要求モジュール２４６は、転送元に記憶されている静止画像データの削除を要求するモジュールである。
【００５３】
Ｄ．印刷処理：
図４は、印刷システム１０において実行される印刷処理のフローチャートである。図４（ａ）には、ＤＶＤレコーダ１００側で実行される処理を表し、図４（ｂ）には、印刷装置２００側で実行される処理を表している。この印刷処理は、ＤＶＤレコーダ１００と印刷装置２００とにおいて常時ループして実行される処理である。この印刷処理が実行される前提として、ＤＶＤレコーダ１００と印刷装置２００とは、上述したアドレッシング機能やディスカバリ機能、ディスクリプション機能によって接続・認証が行われ、相互に通信可能であるものとする。また、ＤＶＤレコーダ１００のＤＶＤドライブには、ＤＶＤメディアＤＭがセットされているものとする。
【００５４】
この印刷処理が開始されると、まず、ＤＶＤレコーダ１００の制御ユニット１１０は、ユーザが操作部１０６を用いてＤＶＤメディアＤＭの排出操作を行ったかを判断する（ステップＳ１０００）。ＤＶＤメディアＤＭの排出操作がなされた場合には（ステップＳ１０００：Ｙｅｓ）、制御ユニット１１０は、静止画保存部１１３によって、ＤＶＤメディアＤＭに記録された動画像データから静止画像データをキャプチャしてハードディスクドライブ１２４に記憶する（ステップＳ１０１０）。このとき、ＤＶＤメディアＤＭに記録された動画像データと同一のデータがハードディスクドライブ１２４に記憶されていれば、制御ユニット１１０は、ハードディスクドライブ１２４に記憶された動画像データを用いて静止画像データをキャプチャするものとしてもよい。静止画像データをハードディスクドライブ１２４に記憶させる際には、制御ユニット１１０は、上述した命名規則に従ってファイル名を付与する。キャプチャされる静止画像が１枚の場合には、ファイル名として「ＰＧ０１．ｊｐｇ」と付されることになる。上記ステップＳ１０００において、ＤＶＤメディアＤＭの排出操作がなされていないと判断した場合には（ステップＳ１０００：Ｎｏ）、制御ユニット１１０は、当該印刷処理を終了する。
【００５５】
上記ステップＳ１０１０によって、静止画像データをハードディスクドライブ１２４に記憶すると、ＤＶＤレコーダ１００の制御ユニット１１０は、上記ステップＳ１０００におけるユーザの指示に従い、ＤＶＤメディアＤＭをＤＶＤドライブ１２２から排出する（ステップＳ１０２０）。
【００５６】
印刷装置２００の制御ユニット２４０は、当該印刷処理が開始されると、まず、メディア検出部２２５を用いて、印刷トレイにＤＶＤメディアＤＭがセットされたかを判断する（ステップＳ２０００）。ＤＶＤメディアＤＭがセットされれば（ステップＳ２０００：Ｙｅｓ）、制御ユニット２４０は、更に、そのレーベル面が白色かを判断する（ステップＳ２０１０）。印刷トレイにセットされた印刷媒体がＤＶＤメディアＤＭでない場合（ステップＳ２０００：Ｎｏ）や、ＤＶＤメディアＤＭのレーベル面が白色ではない場合（ステップＳ２０１０：Ｎｏ）には、当該印刷処理を終了する。
【００５７】
レーベル面が白色のＤＶＤメディアＤＭがセットされれば（ステップＳ２０１０：Ｙｅｓ）、印刷装置２００の制御ユニット２４０は、画像要求モジュール２４４によって、ネットワーク１５０に接続された全てのＤＭＳに対して「ＰＧ０１．ｊｐｇ」というファイル名を指定して静止画像データの転送を要求する。画像要求モジュール２４４は、この転送要求をマルチキャストパケットにより送信する。なお、画像要求モジュール２４４は、全てのＤＭＳに対して、転送要求を順次ユニキャストで送信してもよい。この場合、「ＰＧ０１．ｊｐｇ」を有する印刷装置２００からデータの転送があった時点でユニキャストの送信を中止してもよい。
【００５８】
ＤＶＤレコーダ１００の制御ユニット１１０は、ネットワーク１５０を介して静止画像データの転送要求を所定のタイムアウト期間内に受信すると（ステップＳ１０３０）、転送要求を受けたファイル名「ＰＧ０１．ｊｐｇ」のデータがハードディスクドライブ１２４に記憶されているかを判断する（ステップＳ１０４０）。要求されたデータがハードディスクドライブ１２４に記憶されていれば（ステップＳ１０４０：Ｙｅｓ）、制御ユニット１１０は、画像転送モジュール１１６を用いて、そのデータを、転送要求パケットの送信元である印刷装置２００に送信する（ステップＳ１０５０）。要求されたデータが記憶されていなければ（ステップＳ１０５０：Ｎｏ）、当該印刷処理を終了する。上記ステップＳ１０３０におけるタイムアウト期間は、ユーザが、ＤＶＤメディアＤＭをＤＶＤレコーダ１００から取り出して印刷装置２００にセットするまでの時間を考慮し、例えば、２〜３分とすることができる。
【００５９】
次に、印刷装置２００の制御ユニット２４０は、画像受信モジュール２４５を用いて、所定のタイムアウト期間内（例えば、２０秒以内）に他のデバイスから静止画像データ「ＰＧ０１．ｊｐｇ」を受信したかを判断する（ステップＳ２０３０）。かかるタイムアウト期間内に受信できない場合には（ステップＳ２０３０：Ｎｏ）、制御ユニット２４０は、レーベル面に印刷する画像を取得することができないため、当該印刷処理を終了する。このとき、制御ユニット２４０は、印刷装置２００の表示部に印刷ができない旨のエラーを表示するものとしてもよい。
【００６０】
上記ステップＳ２０３０において、静止画像データを受信したと判断した場合には（ステップＳ２０３０：Ｙｅｓ）、制御ユニット２４０は、さらに、静止画像データの転送を行ったデバイス（ＤＶＤレコーダ１００）に対して、他の静止画像データの転送を要求する（ステップＳ２０４０）。他の静止画像データとは、ファイル名として「ＰＧ０２．ｊｐｇ」や「ＰＧ０３．ｊｐｇ」など、「ＰＧ」の後に、連番の付されたデータである。転送を要求する順序は、ファイル名中に付された連番のとおりである。
【００６１】
ＤＶＤレコーダ１００の制御ユニット１１０は、所定のタイムアウト期間内に印刷装置２００から他の静止画像データの転送要求を受信すると（ステップＳ１０６０）、ハードディスクドライブ１２４に、要求されたファイル名の静止画像データが記憶されているかを判断する（ステップＳ１０７０）。前記タイムアウト期間内に転送要求が受信されなかった場合には、制御ユニット１１０は、当該印刷処理を終了する。一方、要求されたファイル名の静止画像データが記憶されていれば（ステップＳ１０７０：Ｎｏ）、その静止画像データを、印刷装置２００に送信する（ステップＳ１０８０）。こうして、静止画像データの送信を完了すると、制御ユニット１１０は、再び、上記ステップＳ１０６０に処理を戻す。
【００６２】
以上のように、ＤＶＤレコーダ１００の制御ユニット１１０が、上記ステップＳ１０６０〜Ｓ１０８０の処理を繰り返して、ハードディスクドライブ１２４に記憶されている静止画像データをすべて送信した結果、印刷装置２００から要求されたファイル名の静止画像データが、ハードディスクドライブ１２４に存在しなくなった場合には（ステップＳ１０７０：Ｙｅｓ）、制御ユニット１１０は、要求された静止画像データを保持していない旨のエラーを、印刷装置２００に送信する（ステップＳ１０９０）。
【００６３】
次に、印刷装置２００の制御ユニット２４０は、ＤＶＤレコーダ１００から受信したデータが、静止画像データか、エラーかを判断する（ステップＳ２０５０）。受信したデータが、要求した静止画像データであれば、処理をステップＳ２０４０に戻す。こうすることで、制御ユニット２４０は、連番の付された静止画像データを順にＤＶＤレコーダ１００に要求することができる。
【００６４】
上記ステップＳ２０５０において、エラーを受信したと判断した場合には、印刷装置２００は、全ての静止画像データをＤＶＤレコーダ１００から受信したことになるので、制御ユニット２４０は、印刷制御部２４１を用いて印刷機構を制御し、受信した静止画像をＤＶＤメディアＤＭのレーベル面に印刷する（ステップＳ２０６０）。このとき、ＤＶＤレコーダ１００から受信した静止画像データの枚数に応じて、印刷制御部２４１は、印刷する画像を適宜、レーベル面に割り付けて印刷する。
【００６５】
図５は、静止画像データのレーベル面への割り付けの例を示す説明図である。図中には、ＤＶＤメディアＤＭ上に配置する静止画像を、ハッチングを付した図形によって示している。静止画像データの枚数が１枚の場合には、図中に「バリエーションＡ」と示すように、ＤＶＤメディアＤＭの全面に印刷するものとすることができる。また、「バリエーションＢ」のように、レーベル面の所定の位置に、画像全体を縮小して印刷するものとしてもよい。また、静止画像データの枚数が２枚以上の場合には、ＤＶＤメディアＤＭの同心円上に各画像を均等に配置することができる。また、「バリエーションＣ」として示すように、各画像が隣接して配置するものとしてもよい。もちろん、同心円上ではなく、渦巻状に配置するものとしてもよい。配置する順序は、例えば、静止画像データのファイル名の順番や、その画像がキャプチャされた順とすることができる。
【００６６】
説明を図４に戻す。印刷装置２００の制御ユニット２４０は、上記ステップＳ２０６０によってＤＶＤメディアＤＭへの印刷処理を終了すると、印刷が成功したかを判断する（ステップＳ２０７０）。印刷が失敗していれば、再印刷処理を行う（ステップＳ２０８０）。再印刷処理とは、例えば、インクタンク内のインクが切れたことにより印刷が失敗した場合に、インクの補充をユーザに促し、交換の後に、再度の印刷を試みる処理などである。また、ＤＶＤレコーダ１００から受信した静止画像データが欠損していて印刷ができない場合には、処理を上記ステップＳ２０２０に戻すことでＤＶＤレコーダ１００に対して、再度、静止画像データの転送を要求する処理とすることも可能である。
【００６７】
上記ステップＳ２０７０において、印刷が成功したと判断した場合には、制御ユニット２４０は、削除要求モジュール２４６を用いて、静止画像データの送信元であるＤＶＤレコーダ１００に対して、送信対象となった静止画像データの削除を要求する（ステップＳ２０９０）。
【００６８】
ＤＶＤレコーダ１００の制御ユニット１１０は、上記ステップＳ１０９０の後、所定のタイムアウト期間内に印刷装置２００から静止画像データの削除要求を受信したかを判断する（ステップＳ１１００）。このタイムアウト期間としては、ＤＶＤメディアＤＭへの印刷時間を考慮し、例えば、１０〜２０分とすることができる。このタイムアウト期間内に削除要求を受信しなかった場合には、制御ユニット１１０は、当該印刷処理を終了する。一方、タイムアウト期間内に削除要求を受信した場合には、制御ユニット１１０は、印刷装置２００に送信した静止画像データをハードディスクドライブ１２４から削除する（ステップＳ１１１０）。このように、既に印刷が終了した静止画像データをハードディスクドライブ１２４から削除すれば、ＤＶＤレコーダ１００は、ハードディスクドライブ１２４の記憶容量を節減することができる。また、こうすることで、印刷装置２００が、別の記録媒体に印刷を行う際に、既に印刷を済ませた画像を再び印刷してしまうことを防止することができる。以上で説明した一連の処理により、印刷システム１０で実行される印刷処理は終了する。
【００６９】
以上で説明した本実施例の印刷システム１０によれば、ＤＶＤレコーダ１００は、ＤＶＤメディアＤＭを排出する際に、ＤＶＤメディアＤＭに記録した動画像データから静止画像データをキャプチャし、この静止画像データに所定のファイル名を付して一時的に記憶する。次に、ユーザによって、このＤＶＤメディアＤＭが印刷装置２００にセットされると、印刷装置２００は、ＤＶＤレコーダ１００に、前述したファイル名を指定して静止画像データの転送を要求する。そして、静止画像データがＤＶＤレコーダ１００から印刷装置２００に転送されれば、その静止画像が印刷トレイにセットされたＤＶＤメディアＤＭのレーベル面に印刷される。従って、ユーザは、ＤＶＤレコーダ１００からＤＶＤメディアＤＭを取り出して、印刷装置２００にセットするという行為を行うだけで、自動的に、ＤＶＤメディアＤＭに、録画内容を表す画像が印刷されることになる。この結果、ユーザが自分でＤＶＤメディアＤＭのレーベル面に録画内容を筆記具等で記録する必要がなくなり、ＤＶＤメディアＤＭを容易に管理することが容易になる。
【００７０】
また、本実施例では、ＤＶＤメディアＤＭのレーベル面に印刷する静止画像データのファイル名を予め定めた形式としている。そのため、ネットワーク１５０に複数のＤＭＳが接続されていたとしても、印刷装置２００は容易にその画像データを特定の機器（ＤＶＤレコーダ１００）から取得することができる。従って、汎用性の高いＤＬＮＡガイドラインに基づいて印刷システム１０を構成したとしても、印刷装置２００がＤＶＤレコーダ１００から静止画像データを自動的に取得するという動作を極めて容易に実現することができる。
【００７１】
Ｅ．変形例：
以上、本発明の一実施例について説明したが、本発明はこのような実施例に限定されず、その趣旨を逸脱しない範囲で種々の構成を採ることができることはいうまでもない。例えば、ソフトウェアによって実現した機能は、ハードウェアによって実現するものとしてもよい。そのほか、以下のような変形が可能である。
【００７２】
（Ｄ１）変形例１：
上記実施例では、ＤＶＤレコーダ１００が、静止画像データを印刷装置２００に送信するものとした。これに対して、例えば、ＤＶＤの再生のみが可能なＤＶＤプレーヤが静止画像データを送信するものとしてもよい。このようなシステムであれば、例えば、パーソナルコンピュータ等によってＤＶＤ−Ｒに記録した動画像をＤＶＤプレーヤによって視聴した後に、そのＤＶＤ−Ｒを印刷装置２００にセットすれば、その録画内容を表す画像がＤＶＤ−Ｒに自動的に印刷されることになる。この場合、ＤＶＤプレーヤは、再生しているメディアがＤＶＤ−ＲＯＭ以外のＤＶＤメディアであり、そのレーベル面が白色である場合に、静止画像データを送信するものとすることができる。こうすることにより、既にレーベル面に印刷がなされたメディアへの誤印刷を防止することができる。
【００７３】
静止画像データを記憶する機器は、ＤＶＤレコーダ１００やＤＶＤプレーヤに限られず、例えば、パーソナルコンピュータ５００であってもよい。また、静止画像データを記憶する機器は、パーソナルコンピュータ５００やＤＶＤレコーダ１００の外付けハードディスクとして使用されるネットワークストレージ装置４００でもよい。印刷装置２００は、静止画像データの転送をネットワーク１５０に接続された全てのＤＭＳに対して要求する。そのため、所定の命名規則でファイル名が付されていれば、その静止画像データを生成した機器と、そのデータを記憶している機器とが分離していたとしても、印刷装置２００は、何ら問題なく静止画像データを取得することができる。
【００７４】
（Ｄ２）変形例２：
上記実施例では、所定の命名規則によって、「ＰＧ＊＊．ｊｐｇ」（＊＊部分は連番）というファイル名を静止画像データに付すものとした。これに対して、より複雑なファイル名を付すものとしてもよい。ファイル名が複雑であれば、他のＤＭＳが記憶しているデータとファイル名が重複してしまう可能性を低減することができるため、印刷装置２００がＤＶＤレコーダ１００から適切に静止画像データを取得する可能性を高めることができる。ＤＶＤレコーダ１００は、複雑なファイル名として、例えば、静止画像データをキャプチャした日時をファイル名に付すことができる。また、静止画像データの有効期限をファイル名に付すことも可能である。このように、ファイル名の一部に日時を含ませれば、ＤＶＤレコーダ１００が古い静止画像データを有していたとしても、印刷装置２００は、容易に最新の静止画像データを選別して取得することが可能になる。
【００７５】
（Ｄ３）変形例３：
上記実施例では、ＤＬＮＡガイドラインに基づき、印刷システム１０を構成するものとした。しかし、印刷システム１０は、ＤＬＮＡガイドラインに従わずに構成しても構わない。また、ＤＶＤレコーダ１００と印刷装置２００とは、ネットワーク１５０によって接続されるものとしたが、例えば、ＵＳＢやＩＥＥＥ１３９４、パラレルインタフェース等によって１対１に接続されるものとしてもよい。
【００７６】
（Ｄ４）変形例４：
上記実施例では、ＤＶＤメディアＤＭには、動画像データが記録されるものとした。これに対して、ＤＶＤレコーダ１００は、ＤＶＤメディアＤＭに、ユーザがデジタルカメラ等によって撮影した静止画像データを記録するものとしてもよい。ＤＶＤレコーダ１００は、こうしてＤＶＤメディアＤＭに記録された静止画像データの中から、所定数の静止画像データを記憶して印刷装置２００に送信する。印刷装置２００がこのような画像をＤＶＤメディアＤＭのレーベル面に印刷すれば、ユーザは、静止画像を記録したＤＶＤメディアＤＭを容易に管理することが可能になる。無論、この場合において、ＤＶＤメディアＤＭに代えて、ＣＤ−ＲやＣＤ−ＲＷに静止画像データを記録するものとしてもよい。
【図面の簡単な説明】
【００７７】
【図１】実施例としての印刷システム１０の概略構成を示す説明図である。
【図２】ＤＶＤレコーダ１００の内部構成を示すブロック図である。
【図３】印刷装置２００の内部構成を示すブロック図である。
【図４】印刷処理のフローチャートである。
【図５】静止画像データのレーベル面への割り付けの例を示す説明図である。
【符号の説明】
【００７８】
１０…印刷システム
１００…ＤＶＤレコーダ
１００ａ…第１のＤＶＤレコーダ
１００ｂ…第２のＤＶＤレコーダ
１０２…チューナ
１０４…復調器
１０６…操作部
１１０…制御ユニット
１１１…再生制御部
１１２…録画制御部
１１３…静止画保存部
１１４…ＵＰｎＰ処理部
１１５…コントロールポイント
１１６…画像転送モジュール
１１７…画像消去モジュール
１２０…表示制御回路
１２２…ＤＶＤドライブ
１２４…ハードディスクドライブ
１２６…ネットワークインタフェース
１５０…ネットワーク
２００…印刷装置
２１０…ネットワークインタフェース
２２０…印刷機構
２２５…メディア検出部
２３０…フラッシュメモリ
２４０…制御ユニット
２４１…印刷制御部
２４２…ＵＰｎＰ処理部
２４３…コントロールポイント
２４４…画像要求モジュール
２４５…画像受信モジュール
２４６…削除要求モジュール
３００…モニタ
４００…ネットワークストレージ装置
５００…パーソナルコンピュータ
【図１】
2008199495.tif 000003
【図２】
2008199495.tif 000004
【図３】
2008199495.tif 000005
【図４】
2008199495.tif 000006
【図５】
2008199495.tif 000007